(57)【要約】      （修正有）【課題】差し込み時の力及び他の力に耐えることができ、信頼性に優れ且つ製造が容易なコネクタレセプタクルを提供する。【解決手段】第一の複数の接点を支持するタン２１０とハウジング２００とタンとハウジングとの間で、タンをハウジングに対して移動可能とする第一可撓性ガスケット２２０と、を備えたことを特徴とする。【選択図】図６
0003199094.tif 000002
【実用新案登録請求の範囲】
【請求項１】
第一の複数の接点を支持するタンと  ハウジングと  前記タンと前記ハウジングとの間で、前記タンを前記ハウジングに対して移動可能とする第一可撓性ガスケットと、を備えたことを特徴とするコネクタレセプタクル。
【請求項２】
前記ハウジングは、前記コネクタレセプタクルを含む電子機器の筐体であることを特徴とする請求項１に記載のコネクタレセプタクル。
【請求項３】
前記第一可動性ガスケットはエラストマーで成形されたことを特徴とする請求項１または２に記載のコネクタレセプタクル。
【請求項４】
前記エラストマーはシリコーンであることを特徴とする請求項３に記載のコネクタレセプタクル。
【請求項５】
前記エラストマーはウレタンであることを特徴とする請求項３に記載のコネクタレセプタクル。
【請求項６】
前記タンは、第二可撓性ガスケットがその中に配置される開口を含み、  前記第二可撓性ガスケットは、第一構造を受け入れるように構成されることを特徴とする請求項２から５のいずれか一項に記載のコネクタレセプタクル。
【請求項７】
前記第一構造は、前記電子機器のプリント回路基板に取り付けられたロッドであることを特徴とする請求項６に記載のコネクタレセプタクル。
【請求項８】
前記第一構造は、前記筐体に取り付けられる留め具であることを特徴とする請求項６に記載のコネクタレセプタクル。
【請求項９】
前方部分の複数の接点を支持するタンと  該タンの頂部に取り付けられる第一接地板であって、該第一接地板は、前記タンの頂部側に直交する第一タブを含む、  前記タンの底部に取り付けられる第二接地板であって、該第二接地板は、前記タンの底部側に直交する第二タブを含む、  前記タンの周りで、前記第一タブと前記第二タブとに対向する可撓性ガスケットとを備えることを特徴とするコネクタレセプタクル。
【請求項１０】
開口部を備えた装置筐体であって、前記開口部は前記タンの前方部のための通路を提供し、前記可撓性ガスケットが前記タンの周りで前記筐体の前記開口部と前記第一及び第二タブとの間にあることを特徴とする請求項９に記載のコネクタレセプタクル。
【請求項１１】
前記タンは留め具のための開口部を含むことを特徴とする請求項１０に記載のコネクタレセプタクル。
【請求項１２】
前記留め具は前記タンの前記開口部を通って、前記装置筐体内へ挿入されることを特徴とする請求項１１に記載のコネクタレセプタクル。
【請求項１３】
前記留め具は前記可撓性ガスケットに圧縮力を付与することを特徴とする請求項１１または１２に記載のコネクタレセプタクル。
【請求項１４】
前記ガスケットはテーパ部分が前記装置筐体の前記開口部にはまり込むテーパーの前縁部を備えることを特徴とする請求項１０から１３のいずれか一項に記載のコネクタレセプタクル。
【請求項１５】
前記テーパーの前縁部は、コネクタ差し込み部が前記コネクタレセプタクルから取り外された後に、前記タンが元の位置に戻るような自己整合機能を提供することを特徴とする請求項１４に記載のコネクタレセプタクル。
【請求項１６】
前方部分の複数の接点を支持するタンと、  該タンの頂部の第一接地板と、  前記タンの底部の第二接地板と、  第一接地板の開口内の前記タンの頂部の複数の電子部品と、  前記タンの前部及び前記複数の電子部品上の前記複数の接点に取り付けられる接点を備えるコネクタと、を備えることを特徴とするコネクタレセプタクル。
【請求項１７】
前記第一接地板は、前記タンの頂部側に直交する第一タブを含み、  前記第二接地板は、前記タンの底部側に直交する第二タブを含むことを特徴とする請求項１６記載のコネクタレセプタクル。
【請求項１８】
前記タンの周りで、前記第一タブと前記第二タブとに対向する第一可撓性ガスケットをさらに備えることを特徴とする請求項１７に記載のコネクタレセプタクル。
【請求項１９】
前記複数の電子部品の周りの第二可撓性ガスケットをさらに備えることを特徴とする請求項１６から１８のいずれか一項に記載のコネクタレセプタクル。
【請求項２０】
前記コネクタは、前記タンの底部側の前記第二接地板の開口部内にあること
を特徴とする請求項１６から１９のいずれか一項に記載のコネクタレセプタクル。
【考案の詳細な説明】
【技術分野】
【０００１】
本考案は、可撓性を有するコネクタレセプタクルに関する。
【背景技術】
【０００２】
電子デバイス間で転送されるデータの量は、ここ数年で驚くほど増加している。現在では、デスクトップコンピュータ、ポータブルコンピュータ、メディアデバイス、ハンドヘルドメディアデバイス、ディスプレイ、記憶デバイス及び他の種類の電子デバイスの間で大量の音声データコンテンツ、ストリーミングビデオデータコンテンツ、テキストデータコンテンツ及び他の種類のデータコンテンツが頻繁に転送されている。  
【０００３】
このデータと共に電力も転送可能であるが、電力はデータとは別に転送されてもよい。電力及びデータはケーブル構体を介して搬送されてもよい。ケーブル構体は、ワイヤ導体を有するケーブル、光ファイバケーブル、あるいはこれらの導体または他の導体の何らかの組み合わせを含んでもよい。ケーブル構体は、ケーブルの両端にコネクタ差し込み部を更に含んでもよいが、他のケーブル構体は、専用構造で電子デバイスに接続または結合されてもよい。コネクタ差し込み部は、通信する電子デバイスのレセプタクルに差し込まれてもよい。  
【０００４】
コネクタを差し込んでいる間、ユーザは、レセプタクルの中に向かって差し込み方向に力を加えることになる。また、差し込み方向が多少傾いているかまたはねじれている場合もある。この力は、コネクタレセプタクルの１つ以上の部分に圧縮力及び角運動力を加える。この力がコネクタレセプタクルを損傷させ、その結果、コネクタレセプタクルを収納している電子デバイスの機能の低下または損失を招く場合もある。コネクタ差し込み部がレセプタクルに差し込まれた後またはコネクタ差し込み部をレセプタクルから抜き取る際にも、同様の力がコネクタレセプタクルの１つ以上の部分に加えられる可能性がある。  
【０００５】
更に、コネクタレセプタクルは、一日に何度も、何年にもわたってデバイスのレセプタクルに差し込まれると考えられる。このようなコネクタレセプタクルが障害を生じると、ユーザは電子デバイスに不満を覚えるようになるので、コネクタレセプタクルは、信頼性に優れ且つ早期に破損または摩耗しないことが望ましいだろう。  
【０００６】
電子デバイスは何百万台と販売され、それに付随して多数のコネクタレセプタクルが販売されている。そのように大量であるため、コネクタレセプタクルの製造の負担を軽減することまたは製造を簡略化することは、重大な意味を持つ。従って、コネクタレセプタクルは容易に製造されることが望ましいだろう。
【考案の概要】
【考案が解決しようとする課題】
【０００７】
従って、必要とされているのは、差し込み時の力及び他の力に耐えることができ、信頼性に優れ且つ製造が容易なコネクタレセプタクルである。
【課題を解決するための手段】
【０００８】
従って、本考案の実施形態は、差し込み時の力及び他の力に耐えることができ、信頼性に優れ且つ製造が容易なコネクタレセプタクルを提供できる。本考案の例示的な一実施形態は、一つまたは複数の可動部を備えたコネクタレセプタクルを提供できる。この可動部は、コネクタレセプタクルを収容する電子機器のための筐体、または筐体の一部と関連して動いてもよい。コネクタ差し込み部が挿入され、引き抜かれ、またはレセプタクルに挿入した後に外力を受けた際に、可動部は、挿入力を緩和させるように動くことができるため、コネクタレセプタクルを損傷から保護することができる。可動部はさらに、外力が抜けた場合、元のポジションへと可動部が自己調整されて戻るような自己整合機能を備えてもよい。これらの技術はコネクタレセプタクルで使用するのに最適であるが、本考案の実施形態に従って、コネクタ差し込み部で、またはコネクタ差し込み部及びコネクタレセプタクルの双方で使用されてもよい。また、本考案の実施形態は、コネクタ差し込み部の差し込み中のコネクタレセプタクルの損傷を防止できるが、本考案の実施形態は、コネクタ差し込み部が抜き取られる際のコネクタレセプタクルの損傷及びコネクタ差し込み部がコネクタレセプタクルに既に差し込まれている状態でコネクタ差し込み部またはコネクタレセプタクルに加えられる力によって生じる損傷を更に防止してもよい。本考案の実施形態は、他の時点で無関係の物品によってコネクタレセプタクルが損傷するのを更に防止してもよい。説明をわかりやすくするため、本明細書を通して、先に挙げた状況のいずれかまたは他の時点で起こりうる損傷をコネクタ差し込み部の差し込み中に起こる損傷と呼んでもよい。  
【０００９】
本考案の特定の実施形態では、可動タンを有するコネクタレセプタクルを提供することができる。タンは、前面から背面への挿入軸線に沿って移動してもよい。これは、コネクタ差し込み部の挿入中にタンを保護するのに役立つ。タンはまた、前方、後方、上方、下方、左右交互方向、ピッチ、ヨー、ロール方向に移動してもよい。これは、コネクタ差し込み部が直接レセプタクルに挿入されるのではなく、むしろオフセットまたは回転された方向に挿入された際に、タンを保護するのに役立つ。これは、タンが非常に薄く、そうでなければ損傷を受けやすいであろう場合に特に重要である。本考案の他の実施形態では、ハウジング、タン、端子、シールドなどのコネクタレセプタクルの様々な部分は、装置筐体または筐体の部分に関連して一緒にまたは別々に移動することができる。例えば、ハウジング及びタンは、装置筐体または筐体の部分に関連して一緒にまたは別々に移動することができてもよい。  
【００１０】
本考案の特定の実施形態では、コネクタレセプタクルは、ハウジングの開口部内に配置されたタンを含んでもよい。ハウジングは、装置筐体の一部であってもよいし、装置筐体から分離されていてもよい。タンは、柔軟または可撓性ガスケットまたはグロメットによってハウジングの開口部に取り付けられてもよい。この可撓性ガスケットまたはグロメットは、タンが挿入中に移動できるように曲がってもよい。本考案のこの実施形態及び他の実施形態では、タンはさらに、装置筐体、筐体のプリント回路基板、または電子装置内の他の構造に取り付けられ、またはこれらの一部として形成された１つまたは複数の構造に、１つまたは複数の他のガスケットまたはグロメットを介して取り付けられる。例えば、タンは、１つまたは複数の他のガスケットまたはグロメットを介して、１つまたは複数のロッドまたはポストに取り付けてもよい。これらのロッドまたはポストは、今度は、装置筐体、装置筐体のプリント回路基板、または装置筐体のまたは関連する他の構造に取り付けてもよい。本考案のさらに他の実施形態では、ロッド、ポスト、ねじ、または他の構造が、タン内の１つまたは複数の開口部内に配置されてもよい。これらの構造は、装置筐体に対して所定の位置にグロメットを保持するために、グロメットに対して圧力を加えるように、開口部内に配置されてもよい。この実施形態では、タンは、装置筐体との間の所定の位置にグロメットを固定するための１つまたは複数のタブを含んでもよい。上記と同じように、これらのガスケットまたはグロメットの各々は、前方、後方、上方、下方、左右方向、ピッチ、ヨー、ロール方向にタンを移動できるように曲がってもよい。  
【００１１】
本考案の様々な実施形態において、これらのガスケットまたはグロメットは、様々な材料から形成されてもよい。例えば、これらのガスケットまたはグロメットは、低い圧縮永久歪みを有するエラストマーを用いて形成することができる。これは、コネクタレセプタクルの寿命にわたって安定した性能を確保するために役立つ。本考案の特定の実施形態では、使用されるエラストマーは、シリコーンまたはウレタンであってもよい。  
【００１２】
本考案のさらに他の実施形態では、他のガスケットまたはグロメットが使用されてもよい。例えば、タンがプリント回路基板の開口部を通過して、ガスケットまたはグロメットがこれら２つ（タン及びプリント回路基板の開口部）の接続に使用されてもよい。さらに他の実施形態では、タン自体が、電子機器内のプリント回路基板の一部であってもよい。プリント回路基板は、その後、グロメットを介して、ポスト、または上記した装置筐体、第２のプリント回路基板、または電子機器のまたは関連した他の構造に結合された他の構造に取り付けられてもよい。  
【００１３】
本考案の種々の実施形態において、コネクタレセプタクルの接点、接地接点、金属部材、並びにシェルまたはシールドなどの他の導電性部分は、スタンピング、金属射出成形、機械加工、微小機械加工、３Ｄ印刷または他の製造方法により形成されてもよい。導電性部分は、ステンレス鋼、鋼、銅、銅チタン合金、リン青銅または他の材料、あるいはそれらの材料の組み合わせから形成されてもよい。導電性部分は、ニッケル、金または他の材料によってメッキまたは被覆されてもよい。非導電性部分は、射出成形または他の成形、３Ｄ印刷、機械加工または他の製造方法を使用して形成されてもよい。非導電性部分は、シリコンまたはシリコーン、ゴム、硬質ゴム、プラスチック、ナイロン、液晶ポリマー（ＬＣＰ）、セラミックまたは他の非導電性材料、あるいはそれらの材料の組み合わせから形成されてもよい。同様に、ガスケットまたはグロメットは、圧縮永久歪みが小さいエラストマーを含むが、それに限定されない種々の材料から形成されてもよい。この材料は、コネクタレセプタクルの寿命を通して一貫し
た性能を確保するのに効果的である。本考案の特定の実施形態において、使用されるエラストマーは、シリコーンまたはウレタンであってもよい。使用されるプリント回路基板は、ＦＲ‐４または他の材料から形成されてもよい。本考案の多くの実施形態において、プリント回路基板の代わりに、可撓性回路基板などの他の基板が使用されてもよい。  
【００１４】
本考案の実施形態は、ポータブル演算デバイス、タブレットコンピュータ、デスクトップコンピュータ、ラップトップ、オールインワンコンピュータ、携帯電話、スマートフォン、メディアフォン、記憶デバイス、ポータブルメディアプレイヤー、ナビゲーションシステム、モニタ、電源、アダプタ、リモートコントロールデバイス、充電器及び他のデバイスなどの種々の型のデバイスに配置でき且つそれらのデバイスに接続可能であるコネクタレセプタクルを提供できる。それらのコネクタレセプタクルは、ユニバーサルシリアルバス（ＵＳＢ）、高解像度マルチメディアインタフェース（ＨＤＭＩ）、デジタルビジュアルインタフェース（ＤＶＩ）、パワー、イーサネット、ＤｉｓｐｌａｙＰｏｒｔ、Ｔｈｕｎｄｅｒｂｏｌｔ、Ｌｉｇｈｔｎｉｎｇ及び既に開発済みであるか、現在開発中であるかまたは将来開発されると思われる他の種類の規格インタフェースまたは規格外インタフェースのような種々の規格に従って信号及び電力の経路を形成できる。  
【００１５】
本考案の種々の実施形態は、本明細書において説明される上記の特徴及び他の特徴のうち１つ以上を含んでもよい。以下の詳細な説明及び添付の図面を参照することにより、本考案の性質及び利点を更によく理解できるだろう。
【図面の簡単な説明】
【００１６】
【図１】本考案の実施形態を取り入れることにより改善できる電子系統を示す図。
【図２】本考案の一実施形態に係るコネクタレセプタクルを示す正面図。
【図３】本考案の一実施形態に係るコネクタ差し込み部がコネクタレセプタクルに装着されるコネクタシステムを示す図。
【図４】本考案の一実施形態に係るコネクタシステムを示す断面図。
【図５】本考案の一実施形態に係るコネクタシステムを示す斜視図。
【図６】本考案の一実施形態に係るコネクタレセプタクルのタンを示す断面図。
【図７】本考案の一実施形態に係るコネクタレセプタクルのタンを示す図。
【図８】本考案の一実施形態に係るコネクタレセプタクルのタンの一部を示す図。
【図９】本考案の一実施形態に係るグロメット、ガスケットを備えた図８のタンを示す図。
【図１０】図８のタンの下面を示す図。
【図１１】本考案の一実施形態に係るグロメット、ガスケットを備えた図８のタンの下面を示す斜視図。
【図１２】図８のタンの正面図。
【図１３】図８のタンの分解図。
【図１４】本考案の一実施形態に係る同一色にした表面を備えるタンを示す図。
【図１５】本考案の一実施形態に係る装置筐体内の図８のタンを示す平面図。
【図１６】本考案の一実施形態に係る装置筐体内の図８のタンを示す側面図。
【図１７】本考案の一実施形態に係るタンと装置筐体の一部を示す図。
【図１８】本考案の一実施形態に係るタンと装置筐体の一部を示す図。
【図１９】本考案の一実施形態に係るタンと装置筐体の一部を示す断面図。
【図２０】本考案の一実施形態に係るタンと装置筐体の一部を示す断面図。
【考案を実施するための形態】
【００１７】
図１は、本考案の実施形態を取り入れることにより改善できる電子系統を示す。図１は、その他の図面と同様に説明の便宜上示されており、本考案の実施可能な実施形態または実用新案登録請求の範囲を限定しない。  
【００１８】
電子系統１００は、電子デバイス１２０及び１３０を接合するケーブル１１０を含んでもよい。この実施例において、電子デバイス１２０は、スクリーン１２２を有するラップトップコンピュータまたはポータブルコンピュータであってもよい。電子デバイス１３０は、スクリーン１３２を含むモニタ１３０であってもよい。本考案の他の実施形態において、ケーブル１１０は、ポータブル演算デバイス、タブレット、デスクトップコンピュータ、オールインワンコンピュータ、携帯電話、スマートフォン、メディアフォン、記憶デバイス、ポータブルメディアプレイヤー、ナビゲーションシステム、モニタ、電源、アダプタ及び充電器などの種々の種類のデバイスを結合してもよい。ケーブル１１０のようなケーブルは、ユニバーサルシリアルバス（ＵＳＢ）、高解像度マルチメディアインタフェース（ＨＤＭＩ）、デジタルビジュアルインタフェース（ＤＶＩ）パワー、イーサネット、ＤｉｓｐｌａｙＰｏｒｔ、Ｔｈｕｎｄｅｒｂｏｌｔ、Ｌｉｇｈｔｎｉｎｇ並びに原時点で既に開発済みであるか、開発中であるかまたは将来開発されると思われる他の種類の規格インタフェース及び規格外インタフェースのような種々の規格に従って信号及び電力の経路を形成してもよい。ケーブル１１０は、本考案の実施形態により提供されるコネクタレセプタクルを介して電子デバイス１２０及び１３０に装着されてもよい。  
【００１９】
図２は、本考案の一実施形態に係るコネクタレセプタクルの正面図を示す。このコネクタレセプタクルは、装置筐体（ハウジング）２００の開口部に配置されたタン２１０を含んでもよい。タン２１０は１つ以上の接地接点２１４を支持してもよい。タン２１０は装置筐体２００の後壁部２２０を介してコネクタレセプタクルの凹部から現れてもよい。  
【００２０】
本考案のこの実施形態及び他の実施形態において、コネクタ差し込み部の開口部に更に差し込みやすくするために、タン２１０の前部は面取りされてもよい。コネクタ差し込み部を繰り返し差し込むことによって起こりうるタン２１０の前面の摩耗を減少させるために、この面取り開口部に被覆膜が形成されてもよい。  
【００２１】
本考案の種々の実施形態において、コネクタ差し込み部の差し込み中の損傷を防止するために、コネクタレセプタクルのタン２１０または他の部分は補強されてもよい。それらタンは、装置筐体の開口部に配置されてもよく、装置筐体とは別のコネクタレセプタクル筐体に配置されてもよいが、他の構造に配置されてもよい。そのようなコネクタシステムの一実施例が図３に示される。  
【００２２】
図３は、本考案の一実施形態に係るコネクタレセプタクルに差し込まれた後の本考案の実施形態に係るコネクタ差し込み部を示す。詳細には、コネクタ差し込み部３１０は、コネクタレセプタクル３００に既に差し込まれている。レセプタクル３００は、ポータブルコンピューティングデバイス、タブレットコンピュータ、デスクトップコンピュータ、ラップトップ、オールインワンコンピュータ、ウェアラブルコンピューティングデバイス、携帯電話、スマートフォン、メディアフォン、記憶デバイス、ポータブルメディアプレイヤー、ナビゲーションシステム、モニタ、電源、アダプタ、リモートコントロールデバイス、充電器及び他のデバイスのような種々の種類のデバイスに配置されてもよい。コネクタ差し込み部３１０及びレセプタクル３００は、コネクタ差し込み部及びレセプタクルが含まれる他の部分と同様に、ＵＳＢ‐Ｃを含むユニバーサルシリアルバス（ＵＳＢ）のうちの１つ、高解像度マルチメディアインタフェース（登録商標）（ＨＤＭＩ）、デジタルビジュアルインタフェース（ＤＶＩ）、イーサネット、ＤｉｓｐｌａｙＰｏｒｔ、Ｔｈｕｎｄｅｒｂｏｌｔ（商標）、Ｌｉｇｈｔｎｉｎｇ（商標）、ジョイントテストアクショングループ（ＪＴＡＧ）、テストアクセスポート（ＴＡＰ）、誘導型自動ランダムテスト（ＤＡＲＴ）、汎用非同期受信機／送信機（ＵＡＲＴ）、クロック信号、電力信号、及び既に開発済みであるか、開発中であるかまたは将来開発されると思われる他の種類の規格インタフェース、規格外インタフェース及び独自のインタフェース、並びにそれらの組み合わせのような種々の規格に従った信号の経路を構成してもよい。本考案の他の実施形態において、コネクタ差し込み部３１０及びレセプタクル３００は、コネクタ差し込み部及びレセプタクルが含まれる他の部分と同様に、それらの規格のうち１つ以上の規格に対して縮小機能セットを提供するために使用されてもよい。本考案の種々の実施形態において、コネクタ差し込み部３１０及びレセプタクル３００により形成される相互接続経路とこの中の他の差し込み部及びレセプタクルとは、電力、接地、信号、テストポイント及び他の電圧、電流、データまたは他の情報を搬送するために使用されてもよい。コネクタ差し込み部３１０に関する更なる情報は、本明細書に参考として取り入れられている２０１４年１１月１７日出願、代理人書類番号９０９１１‐Ｐ２１８４７ＵＳ１、名称「ＣＯＮＮＥＣＴＯＲ  ＲＥＣＥＰＴＡＣＬＥ  ＨＡＶＮＧ  Ａ  ＳＨＩＥＬＤ」の同時係属米国特許出願第１４／５４３，７１１号から得られる。  
【００２３】
図４は、本考案の一実施形態に係るコネクタシステムの断面図を示す。この例では、本明細書に示される他の実施例及び本考案の他の実施形態に含めることができる構造及び機能性を示すことができる。レセプタクル３００は、図２または本明細書に示された他のレセプタクルの一つでもよい。本実施例において、コネクタレセプタクル３００は、複数の接点４１２を支持するタン４１０を含んでもよい。前述のように、タン４１０に接地接点４１４が配置されてもよい。接地接点４１４は、垂直部分４１６及び水平部分４１８を含むように段差のある構造であってもよい。水平部分４１８はレセプタクルシールド４２０と接触してもよい。  
【００２４】
コネクタ差し込み部３１０は、接点４６０を取り囲むシールド４７０を含んでもよい。シールド４７０は、接地接点４７２に電気的に接続されてもよい。シールド４７０は端部材４７４で終端してもよい。タン４１０は中央接地平面または中央接地部分（図示せず）を含んでもよく、コネクタ差し込み部は接地平面または接地部分４８０を含んでもよい。  
【００２５】
この構造は、接点４１２及び４６０により形成される信号経路を遮蔽できる。詳細には、コネクタ差し込み部のシールド４７０は、レセプタクルシールド４２０と電気的に接触してもよい。レセプタクルシールド４２０は、垂直部分４１６及び水平部分４１８を介して接地接点４１４に電気的に接続してもよい。コネクタ差し込み部の接地接点４７２は、接地接点４１４及びコネクタ差し込み部のシールド４７０と電気的に接触してもよい。タン４１０の接地平面及び接地部分と、コネクタ差し込み部の接地平面または接地部分４８０とは、互いに電気的に接続すると共に、他の構造とも電気的に接続してもよい。本考案の種々の実施形態において、端部材４７４は導電性であってもよく、従って垂直部分４１６との間に電気的接続を形成してもよい。この遮蔽は、接点４１２及び４６０の信号を互いに絶縁すると共に、このコネクタシステムの外にある回路、トレース及び構成要素から絶縁するのに効果的である。  
【００２６】
図５は、本考案の一実施形態に係るコネクタシステムの斜位透視図を示す。この例では、本明細書に示される他の実施例及び本考案の他の実施形態に含めることができる構造及び機能性を示すことができる。本実施例において、コネクタ差し込み部３１０は、コネクタレセプタクル３００に差し込まれてもよい。このコネクタ差し込み部及び他のコネクタ差し込み部に関する更なる詳細は、同様に、本明細書に参考として取り入れられている２０１４年１１月１７日出願、代理人書類番号９０９１１‐Ｐ２１８４７ＵＳ１、名称「ＣＯＮＮＥＣＯＲ  ＲＥＣＥＰＴＡＣＬ  ＨＡＶＩＮＧ  Ａ  ＳＨＩＥＬＤ」の同時継続米国特許出願第１４／５４３，７１１号から得られる。  
【００２７】
このコネクタシステムは、含まれる他のコネクタシステムと同様に、少なくとも３つの機能を実行してもよい。第１の機能は、コネクタ差し込み部とコネクタレセプタクルとの間で信号を搬送する機能である。それらの信号には、電力信号、接地信号、並びにオーディオ信号及びビデオ信号などのデータ信号が含まれてもよい。第２の機能は、信号が転送されている間に、それらの信号を遮蔽する機能である。この機能は、転送中の信号の破損を防止
または減少できる。第３の機能は、コネクタ差し込み部がコネクタレセプタクルから外れるという不慮の事態を回避するように保持力を加える機能である。そのような偶発的な抜け落ちは、大容量ファイルの転送中には特に望ましくないだろう。  
【００２８】
信号は、レセプタクル３００の接点４１２と係合できるコネクタ差し込み部３１０のピン４６０を使用して転送されてもよい。  
【００２９】
それらの信号は、いくつかの方法によって遮蔽可能である。例えば、コネクタ差し込み部３１０のシールド４７０は、フィンガ４７３で接地部材４７２に電気的に接続してもよい。コネクタ差し込み部３１０の前部にある接地接点４７４は、レセプタクル３００の接地部材４１４の水平部分に接触してもよい。接地部材４１４は、接続点４２１を介してコネクタレセプタクルのシールド４２０に電気的に接続してもよい。コネクタレセプタクル３００のシールド４２０は、コネクタ差し込み部３１０のシールド４７０に電気的に接続してもよい。  
【００３０】
タン１２９の切欠き１２５と係合する側部接地接点１１２により、保持が行われてもよい。詳細には、側部接地接点５１０は、タン４１０の側部にある切欠き４１１と係合可能な接触部分５１２を含んでもよい。切欠き４１１は、メッキされ且つコネクタレセプタクル３００の接地点に接続されてもよく、それにより、コネクタ差し込み部３１０を介して接地点に接続される側部接地接点５１０との間に別の接地経路が形成されてもよい。  
【００３１】
本考案の種々の実施形態において、望まれる保持力の量はそれぞれ異なるだろう。従って、差し込み中に側部接地接点５１０がばねのように戻って、切欠き４１１に嵌合するように、側部接地接点５１０はあらかじめ偏向されてもよい。種々の用途に対してそれぞれ異なる保持力を実現するために、側部接地接点５１０の強度及び厚さも調整されてよい。例えば、ドッキングステーションのような本考案のいくつかの実施形態では、保持力をなくすことが望ましいだろう。その場合、側部接地接点５１０は配置されなくてもよい。  
【００３２】
ここでも、これらの挿入は、コネクタレセプタクルを破損する恐れがある。コネクタ差し込み部をコネクタレセプタクルに直接挿入されるのではなく、傾斜または回転された方向に挿入されている場合に特に当てはまる。タンのようなコネクタレセプタクルの一部分が小さくまたは薄いとき、破損の可能性が高い。したがって、本考案の実施形態は、これらの挿入力に耐えることができるコネクタのレセプタクルを提供してもよい。ここでも、本考案の実施形態は、コネクタ差し込み部の挿入中の破損からコネクタレセプタクルを保護することができる一方、本考案の実施形態はまた、コネクタ差し込み部の引き抜き中に、コネクタレセプタクルを破損から保護し、コネクタ差し込み部がコネクタレセプタクルの内側に位置している間に、コネクタ差し込み部やコネクタレセプタクルに作用する外力によって受ける損傷から保護することができる。本考案の実施形態は、またある時には、関係のない製品による損傷からコネクタレセプタクルを保護することができる。本明細書を通して、これらのまたは他の時点のいずれかで起こり得る破損は、明確にするために、コネクタ差し込み部の挿入中に生じる破損と言及してもよい。本考案の様々な実施形態は、コネクタレセプタクルの１つ以上の部分が、装置筐体に対して移動することを可能にする可撓性ガスケットまたはグロメットを採用することができる。その一実施例が図６に示される。  
【００３３】
図６は、本考案の実施形態に係るコネクタレセプタクルの断面図を示している。このコネクタレセプタクルは、筐体２００の開口部に配置されるタン２１０を含む。ガスケットまたはグロメットが、タン２１０と筐体２００の背面２０４との間に配置することができる。特に、ガスケットまたはグロメットは、装置筐体２００の背面２０４の後ろの広い後方部分２２０と同様に、タン２１０と筐体２００の背面２０４との間の狭い部分２２２を含むことができる。  
【００３４】
本考案の様々な実施形態において、開口部がタン２１０に形成されてもよい。ガスケットまたはグロメット２３０は、タン２１０のこの開口部に配置されてもよい。ガスケットまたはグロメット２３０は、開口部２３２を有してもよい。ロッド、ポスト、またはその他の構造は、ガスケットまたはグロメット２３０の開口部２３２に挿入されてもよい。このロッドまたはポストは装置筐体２００、装置筐体２００の内部に位置するプリント回路板、または装置筐体２００の中か、関係する他の構造に取り付けられるか、または、その一部として形成されてもよい。  
【００３５】
これらのガスケットまたはグロメット２２０、２３０は、タン２１０が装置筐体２００に対して移動可能なように、柔軟であってもよい。例えば、ガスケットまたはグロメット２２０、２３０は、コネクタ差し込み部の挿入中に、タン２１０が装置筐体２００の後方に移動することを許容してもよい。これにより、挿入時にタン２１０の応力を緩和するのに役立ち、したがって損傷を防止するのに役立つ。ガスケットまたはグロメット２２０、２３０は、コネクタ差し込み部の挿入または抜き出し中に、タン２１０が前方、後方、上方、下方、左右交互方向、ピッチ方向、ヨー方向、ロール方向に移動することを許容してもよい。ここでも、この運動は、挿入中に、特に、コネクタ差し込み部が傾斜またはスキュー角度で挿入されたときのような非直接挿入中に、タン２１０を保護することができる。  
【００３６】
可撓性ガスケットまたはグロメット２２０、２３０は、様々な材料から形成することができる。例えば、それらはシリコーンまたはウレタンのようなエラストマーを用いて形成することができる。これらは、例えば接地接点２１４と筐体２００との間の設置経路を形成するために導電性であってもよい。  
【００３７】
タン２１０は、多数の接点２１２を支持してもよい。接点２１２は、タン２１０の下側に、タン２１０の上側に、またはタン２１０の上側及び下側の両方に配置されてもよい。接点２１２は、コネクタ差し込み部がこのコネクタレセプタクルに挿入されたとき、コネクタ差し込み部の対応する接点（図示せず）と共に電力と信号の経路を形成することができる。  
【００３８】
接地接点２１４は、タン２１０の頂部及び底部側のいずれかまたは両方に配置されてもよい。接地接点２１４は、コネクタ差し込み部の対応する接地接点と接地接続を形成することができる。  
【００３９】
この例では、タン２１０がグロメットまたはガスケット２２０を介して筐体２００に取り付けられているものとして示されているが、一方で、本考案の他の実施形態では、タン２１０は、筐体２００とは別の独立型コネクタレセプタクルハウジングにグロメットまたはガスケット２２０を介して取り付けられてもよく、またはタン２１０は他の適切な構造に取り付けられてもよい。  
【００４０】
図７は、本考案の実施形態に係るコネクタレセプタクル用タンを示している。これ、または以下に示される他のタンは、コネクタレセプタクルとして使用されるために適しているが、本考案の他の実施形態では、これらのタンは、コネクタ差し込み部に使用することができる。  
【００４１】
上記と同じように、タン２１０が多数の接点２１２及び接地接点２１４を支持してもよい。グロメットまたはガスケット２２０はタン２１０の周りに巻き付けられてもよく、グロメットまたはガスケット２３０は、タン２１０の開口部に配置されてもよい。本考案の他の実施形態では、タン２１０は、グロメットまたはガスケット２３０を有する、１個、３個、またはそれ以上の開口部を備えてもよい。また、本考案の他の実施形態では、一つ以上のガスケットまたはグロメット２２０がタン２１０を囲んでもよい。タン２１０は、さらに側部切欠き２１６を含むことができる。側部切欠き２２６は、コネクタ差し込み部がこのタンを含むコネクタレセプタクルに挿入されたとき、コネクタ差し込み部の保持機構を受け入れるために使用されてもよい。  
【００４２】
この例では、レセプタクルは、１つ以上のグロメットまたはガスケット２２０、２３０を介して装置筐体に取り付けられたタン２１０を含むことができる。本考案の他の実施形態では、タン２１０は、電子デバイスの、関連付けられた電子デバイスの他の構造に取り付けられてもよい。本考案の他の実施形態では、レセプタクルは、タンなしハウジングを含んでもよい。このハウジングは、一つ以上のガスケットまたはグロメットを介して装置筐体または他の構造に取り付けられてもよい。さらに他の実施形態では、レセプタクルは、タンとハウジングを含んでもよい、ここでタンとハウジングは、１つ以上のガスケットまたはグロメットを介して装置筐体または他の構造に取り付けられてもよい。さらに他の実施形態では、タンは、一つ以上のガスケットまたはグロメットを介してハウジングに取り付けられてもよく、ハウジングは、一つ以上のガスケットまたはグロメットを介して装置筐体または他の構造に取り付けられてもよい。  
【００４３】
本考案の別の実施形態は、コネクタレセプタクルを保護するために、装置筐体に対して移動することができる他のコネクタレセプタクルのタンまたは他のコネクタレセプタクルの一部を提供することができる。例は、以下の図に示されている。  
【００４４】
図８は、本考案の実施形態に係るコネクタレセプタクルのタンを示している。タン８１０は、タン２１０、タン４１０、及びここそして本考案の他の実施形態に含まれる他のタンと同一または類似の外観または機能を提供してもよい。タン８１０は、プリント回路基板、プラスチック、または他の材料で形成することができる。例えば、タン８１０はＦＲ−４プリント回路基板材料を用いて形成することができる。タン８１０は、多数の接点８１２を支持してもよい。側部接地接点８１４は、タン８１０の側面に沿った切欠き部に配置されてもよい。これらの切欠き部は、上記したように、コネクタ差し込み部の側部接地接点と係合してもよい。  
【００４５】
接地板または接地接点８３０は、タン８１０の後部を覆ってもよい。接地接点８３０は、タブ８４０を含んでもよい。タブ８４０は、タン８１０の表面と直交するように曲げられまたは折りたたまれてもよい。接地接点８３０は、上記したように、コネクタ差し込み部の側部接地接点と係合してもよい。  
【００４６】
タン８１０内の１つまたはそれ以上の開口部８５０が含まれてもよい。開口部８５０は、タン８１０の正面に面して、比較的平坦な縁を有していてもよい。この平坦な縁は、開口部８５０をわずかにＤ字形外観とすることができる。この縁は、コネクタ差し込み部の挿入中に、タン８１０の磨耗や変形による損傷の可能性を低減するために、装置筐体内のタン８１０の深さを変えることなく、タンを例えば、横方向に約０.１mmの距離を移動させることができる。  
【００４７】
様々な構造または留め具が、所定の位置にタン８１０を固定するのに役立つように、開口部８５０に配置されている。具体的には、グロメットまたはガスケットがタン８１０の周り、タブ８４０と装置筐体開口部の背面側との間に装着されてもよい。留め具は、開口部８５０内に配置されてもよく、タン８１０を所定の位置に保持するために、これらのガスケットに圧縮する力を加えてもよい。  
【００４８】
本考案の種々の実施形態では、開口部８５０のような開口部は、タン８１０内に形成されてもよい。ねじのような留め具、ロッド、ポストまたは他の構造は、タン８１０の開口部８５０に挿入されてもよい。この留め具、ロッドまたはポストは、装置筐体、装置筐体内のプリント回路基板、装置筐体内または関係する他の構造に取り付けられるか、これらの一部として形成されてもよい。  
【００４９】
また一方で、ガスケットまたはグロメットは、例えばタン８１０の周りに使用されてもよい。これらのガスケット及びグロメットは、タン８１０が装置筐体に対して動くことができるように可撓性であってもよい。例えば、可撓性のガスケットまたはグロメットは、コネクタ差し込み部の挿入中に装置筐体に対してタ
ン８１０を移動可能にすることができる。これにより、挿入中のタン８１０の応力を緩和するのに役立ち、損傷を防止するのに役立つ。この可撓性のガスケットまたはグロメットは、タン８１０がコネクタ差し込み部の挿入及び抜き出しの間、前方、上方、下方、左右方向、ピッチ方向、ヨー方向、ロール方向に移動することを可能にする。後方移動は、本考案の様々な実施形態において可能であり、また後方移動は、開口８５０内の留め具のような他の構造によって制限される。また一方で、この移動は、挿入中、特にコネクタ差し込み部が傾斜またはスキュー角度で挿入されたときのような、非直接挿入中に、タン８１０を保護することができる。これらのガスケットまたはグロメットは、応力または力が除去されると、タンが元の位置に戻るように、自己整合特徴を含むことができる。これらのガスケットまたはグロメットは、さらに接地接点８３０とタン８１０のタブ８４０と装置筐体または他の構造との間で設置接続を許すように導電性であってもよい。  
【００５０】
図９は、本考案の実施形態に係るグロメットまたはガスケットを含めた図８のタンを示す。この図は、グロメットまたはガスケット９１０はタン８１０の周りに装着されるか、タブ８４０に対向して配置されてもよい。グロメットまたはガスケット９１０は、接地接点８３０とタブ８４０と装置筐体との間の電気的経路を形成するために導電性であってもよい。グロメットまたはガスケット９１０は、テーパーの前縁部９１２を含んでもよい。このテーパーの前縁部９１２は、接地接点８３０及び装置筐体内の開口部との間の隙間を埋めるために役立つ。この円錐形またはテーパーの前縁部９１２は、コネクタ差し込み部がひとたび抜き出されると、タン８１０が装置筐体の開口部内に再整列されるように、自己調心または自己調整機能を提供してもよい。  
【００５１】
第二の任意のグロメットまたはガスケット９２０を含めることができる。任意のガスケット９２０は、タン８１０と装置筐体の上部内面との間に配置されてもよい。グロメットまたはガスケット９２０は、多数の、機械的または電気的コンポーネントまたは装置９３０を囲むことができる。機械的または電気的コンポーネントまたは装置９３０は、タン８１０の上部の接地板の開口部に配置することができる。グロメットまたはガスケット９２０は、導電性であってもよいし、タン８１０の上部の接地板と装置筐体または他の構成との間に電気的接続を形成してもよい。グロメットまたはガスケット９２０は、したがって、機械的または電気的コンポーネントまたは装置９３０のための多量のシールドを提供することになる。  
【００５２】
前述のように、タン８１０は、多数の接点８１２を支持する。タン８１０は、側部接地接点８１４と接地接点８３０を含むことができる。開口部８５０は、装置筐体にタン８１０を固定するために使用される締結具を受け入れることができる。ブラケット８７０はまた、所定の位置にタン８１０を固定するために使用されてもよい。  
【００５３】
図１０は、図８のタンの下側を示している。前述のように、タン８１０は複数の接点８１２及び側部接地接点８１４を支持することができる。上部接地接点８３０は、タン８１０の後部を覆うことができる。接地接点８３０はタブ８４０を含んでもよい。コネクタ８６０は、接点８１２とタン８１０上のコンポーネント９３０とフレキシブル回路基板または他の導管との間の接続を形成するために含まれてもよい。前述のように、一つまたはそれ以上の開口８５０は、タン８１０の後部に配置されてもよい。  
【００５４】
本考案の様々な実施形態では、タン８１０は、様々なメッキ領域を含むことができる。例えば、接点８１２は、電解金等の硬質金メッキを用いて形成することができる。これは、低い接触抵抗を提供しながら、接点８１２の耐久性及び寿命を改善することができる。コネクタ８６０内の接点と、タン８１０の上部と底部との接地板（地板）のようなタン８１０の他の部分は、ＥＮＩＧとしても知られている無電解ニッケル浸漬金材料を用いて形成されるか、メッキされることができる。これは、接点があまりにも脆くなることを避けるために少量の金を含む良好な接点を提供することができる。側部接地接点８１４は、耐久性のある材料であるパラジウムニッケル（ＰｄＮｉ）でメッキされてもよい。本考案のさらに他の実施形態において、接点８１２はまた、タン８１０を形成するために使用されるメッキ工程の数を減らすために、パラジウム、ニッケルを用いて形成するようにしてもよい。  
【００５５】
図１１は、本考案の実施形態に係るグロメットまたはガスケットを含めた図８のタンの下面図を示す。この例では、ガスケットまたはグロメット９１０は、タン８１０の周りに装着されるか、タブ８４０に対向して配置される。任意のガスケットストリップまたは接地機構１１１０は、タン８１０の底部に配置される。これら任意のガスケットストリップまたは接地機構１１１０は、タン８１０と装置筐体の底部内側面との間のスペーサーとして機能する。これらはまた、タン８１０の底部の接地板と装置筐体または他の構造との間の電気的接続を提供することができる。  
【００５６】
図１２は、図８のタンの正面図を示す、この例では、タン８１０は、グロメットまたはガスケット９１０に囲まれてもよい。グロメットまたはガスケット９１０は、テーパーの前縁部９１２を含んでもよい。任意のグロメットまたはガスケット９１０は、タン８１０の上部に含まれていてもよい。ブラケット８７０も含まれてもよい。  
【００５７】
図１３は、図８のタンの分解図を示す。タン８１０は、ＦＲ−４または他のタイプのプリント回路基板のようなプリント回路基板の一部を形成してもよい。タン８１０は、多数の接点８１２を支持し、コネクタ挿入部の保持力を受容するための側面切欠き部８１４を有していてもよい。多数の電気部品９３０がタン８１０の上側に配置されてもよい。タン８１０は、留め具を受け入れるための開口部８５０をさらに含んでもよい。接地板１３１０、１３２０は、タン８１０の上部及び底部側に配置されてもよい。接地板１３１０は、部品９３０を避けるための開口部１３１１を有していてもよい。接地板１３２０は、コネクタ８６０を避けるためのノッチまたは開口部１３２１を有していてもよい。接地板１３１０、１３２０は、メッキ、金属射出成形、シートメタルから、または他の方法で形成されてもよい。接地板１３１０、１３２０は、タン８１０の配線ためのシールドを提供してもよい。接地板１３１０、１３２０は、タン８１０の機械的補強を提供してもよい。接地板１３１０、１３２０は、タブ８４０を含んでいてもよい。グロメットまたはガスケット９１０は、接地板１３１０、１３２０、タン８１０上を滑ってもよい、またタブ８４０に寄り掛ってもよい。グロメットまたはガスケット９１０は、テーパーの前縁部９１２を含んでもよい。任意のスペーサまたはガスケット９１０、１１１０は、上述に含まれる。これらの任意のガスケットストリップまたは接地機構９２０、１１１０は、タン８１０と装置筐体の上部及び底部の内側表面との間のスペーサとして機能する。これらはまた、タン８１０の接地板１３１０、１３２０と装置筐体または他の構造との間の電気的接続を提供してもよい。  
【００５８】
また一方で、タン８１０は、プリント回路基板を形成することができる。典型的には、プリント回路基板は、それらの色を制御することがあまりなされていない。これは、異なる装置間におけるタン８１０のための色に、大きな変化をもたらす可能性がある。この望ましくない発生を回避するために、本考案の実施形態は、インクで覆われるか、またはそうでなければ、均一な色を与えられた前縁部を有するタン８１０を提供してもよい。例を以下の図に示す。  
【００５９】
図１４は、本考案の一実施形態において、均一な色を与えられる表面を有するタンを示している。タン８１０は、前縁部１４１０を含むことができる。前縁部１４１０は、面取り面１４１２、１４１４を含むことができる。本考案の実施の形態では、面１４１０、１４１２、１４１４は、均一な色が与えられる。さらに、側面１４１６の先端部分も同じ色が与えられることができる。このように、ユーザがコネクタレセプタクルを観察するとき、均一な外観が、コネクタレセプタクルタンのタンの前面に設けられている。本考案の様々な実施形態において、この配色は、インクまたは他の物質を使用して行うことができる。一例では、インクを含むエポキシ樹脂が、これらの表面に適用されることができる。本考案の様々な実施形態において、このエポキシ樹脂は、パッド印刷を使用して適用されることができる。さらに他の実施形態において、レーザー印刷、インクジェット印刷、または他の技術が、この着色を提供するために使用される。エポキシ樹脂が使用される場合、それは１から２０ミクロン、または約５から１０ミクロンの間の厚さを有することができる。  
【００６０】
図１５は、本考案の実施形態による装置筐体の図８のタンの上面図を示す。この例では、タン８１０は、装置筐体１５１０の開口部に配置することができる。前述のように、タン８１０は、多数の接点８１２及び接地接点８３０を支持する。接地接点８３０はタブ８４０を含んでもよい。グロメット、ガスケット、または他の材料９１０は、装置筐体１５１０の後部とタブ８４０との間に配置されてもよい。ネジ、ロッド、または他の留め具１５３０は、タン８１０の開口部８５０に配置することができる。これらの構造は、装置筐体１５１０の後部に向かってタブ８４０を押す力を加えることができる。この力は、タブ８４０と装置筐体１５１０の後部との間の場所に、グロメットまたはガスケット９１０を圧縮して保持する。本考案の他の様々な実施形態において、ガスケットは、少なくともネジ１５３０の周りに部分的に用いられてもよいし、これらのガスケット９１０が存在しなくてもよい。  
【００６１】
さらに、開口部８５０は、留め具１５３０と接触するやや扁平な前縁部を有してもよい。これは、留め具１５３０がタン８１０が装置筐体内を逆方向に移動することができる量を制限したとしても、このタン８１０に力が作用とき、タン８１０が横方向に移動することを可能にする。この横方向の動きは、コネクタ差し込み部の挿入中に挿入力を吸収し、摩耗を低減し、タン８１０への損傷の可能性を減少させることができる。この配置はまた、コネクタ差し込み部の挿入中にさらなる摩耗やタン８１０への損傷の可能性を減少させるために、上下とねじり方向にタン８１０を移動させることができる。  
【００６２】
本考案の様々な実施形態において、これらのガスケット及びグロメット９１０は、導電性であってもよい。これらのガスケットまたはグロメット９１０を導電性材料で形成することにより、付加的な接地経路を提供することができる。  
【００６３】
図１６は、本考案の実施形態による装置筐体の図８に示すタンの側面図を示す。この例では、タン８１０は、装置筐体１５１０の開口部に配置されている。前述のように、ガスケット９１０は、タブ８５０及び装置筐体１５１０の背面との間に配置することができる。ガスケット９１０は、装置筐体１５１０への液体、湿気、粉塵、または他の物質の侵入を防止するためのシールを提供することができる。  
【００６４】
このように、タン８１０は、装置筐体１５１０に対して、前方、上下、左右、ピッチ、ヨー、ロール運動に自由に動くことができる。後方運動は、開口部８１０内に留め具１５３０により制限されてもよいが、例えば、留め具１５３０が開口部８５０のグロメットまたはガスケットによって取り囲まれている場所で、より迅速に許可されてもよい。この許可された動きは、コネクタレセプタクルに対するコネクタプラグの挿入または抜き出し時、タン８１０の損傷を防止するのに役立つ。  
【００６５】
これらのコネクタレセプタクルは、別の方法で形成されるか、または組み立てられてもよい。タン８１０は、筐体１５１０の開口部１５１２を通って挿入されることができる。開口部１５１２は、レセプタクル開口部の背面側のスロットであってもよ
い。本考案の他の実施形態では、レセプタクル開口部の背面側は、ガスケット９１０のネジ１５３０によって及ぼされる力によって、適所に保持される別個の部品であってもよい。  
【００６６】
図１７は、本考案の実施形態に係るタン及び装置筐体の一部を示す。この例では、装置筐体１５１０及びタン８１０の一部分を示す。組立中、タン８１０は、装置筐体１５１０の開口部１５１２を通ってスライドされてもよい。留め具１７２０は、タン８１０の開口部８５１を通して、装置筐体１５１０の開口部１５１４へ挿入されてもよい。留め具１７１０は、タン８１０の開口部８５０を通して、装置筐体１５１０の対応する開口部へ挿入されてもよい。  
【００６７】
グロメットまたはガスケット９１０は、装置筐体１５１０の内側面とタブ８４０との間に配置することができる。組立中、小さな前方圧力がタン８１０に加えられる。留め具１７１０及び１７２０は、開口部８５０及び８５１を通って、装置筐体１５１０の開口部へ入ってもよい。タン８１０はその後解放されてもよい。グロメットまたはガスケット９１０は、圧力下でわずかに圧縮され、留め具１７１０と１７２０に対して力を付与して、それによってタン８１０を所定の位置に保持する。  
【００６８】
この例では、組立時に留め具１７１０及び１７２０を混同することは望ましくないかもしれない。従って、留め具１７１０及び１７２０は、異なる非互換のツールを受け入れるように上側開口部を有していてもよい。すなわち、留め具１７１０に使用されるためのツールは留め具１７２０を回すのに有用ではない一方、留め具１７２０に使用されるツールは留め具１７１０を回すのに有用でない。このように、留め具１７２０は、留め具１７１０を受け入れることを意図する開口に間違って挿入されないようにし、また、留め具１７１０は、留め具１７２０を受け入れることを意図する開口に間違って挿入されないようにしている。留め具１７１０と１７２０の本体部分の厚さも、組み立て時に混乱の可能性を減少させるために変えられてもよい。  
【００６９】
図１８は、本考案の実施形態に係るタン及び装置筐体の一部を示す。この例では、タン１８は、装置筐体１５１０に挿入されてもよい。留め具１７１０及び１７２０は、開口部８５０及び８５１内に配置することができる。  
【００７０】
図１９は、本考案の実施形態に係るタン及び装置筐体の一部の断面図を示す。この例では、タン８１０は、装置筐体１５１０の開口部に配置することができる。前と同様に、留め具１７１０及び１７２０は、グロメットまたはガスケット９１０と同様に、装置筐体１５１０にタン８１０を固定するために使用することができる。  
【００７１】
図２０は、本考案の実施形態に係るタン及び装置筐体の一部の側面図を示す。ここでも、タン８１０は、装置筐体１５１０の開口部１５１２内を通過できる。グロメットまたはガスケット９１０もタブ８４０と装置筐体１５１０との間に位置されてもよい。グロメットまたはガスケット９１０は、開口部を埋めるために役立つ、テーパーの前縁部９１２を有することができる。テーパーの前縁部９１２は、接地接点８３０と装置筐体１５１０の開口部１５１２の内側縁部との間にシールを形成することにより、装置内に水または他の望ましくない進入を防止するのに役立ち得る。  
【００７２】
また、留め具１７１０は、グロメットまたはガスケット９１０は、少なくともわずかに圧縮されるように、タン８１０にわずかな前方圧力を提供してもよい。この圧縮は、所定の位置にタン８１０を留め、さらに装置内に水または他の望ましくない侵入を減少させることができる。  
【００７３】
グロメットまたはガスケット９１０は、テーパーの前縁部９１２を含んでもよい。テーパーの前縁部９１２は、接地接点８３０及び装置筐体１５１０の開口部１５１２との間のギャップを埋めるために役立つことがある。この円錐形またはテーパーの前縁部９１２は、コネクタ差し込み部が取り除かれたら、装置筐体１５１０の開口部１５１２内でタン８１０が再調整されるように、自己調心または自己整合機能を提供することができる。グロメットまたはガスケット９１０は、接地接点８３０とタン８１０のタブ８４０と装置筐体との間で接地するための電気経路を提供する。  
【００７４】
図示される実施例を含む本考案の種々の実施形態において、接点、接地接点、金属中央部材を含む金属部材、並びにシェルまたはシールドなどのコネクタレセプタクルの他の導電性部分は、スタンピング、金属射出成形、機械加工、微小機械加工、３Ｄ印刷または他の製造方法により形成されてもよい。導電性部分は、ステンレス鋼、鋼、銅、銅チタン合金、リン青銅または他の材料、あるいはそれらの材料の組み合わせから形成されてもよい。導電性部分は、ニッケル、金または他の材料でメッキまたは被覆されてもよい。非導電性部分は、射出成形または他の成形、３Ｄ印刷、機械加工、あるいは他の製造方法を使用して形成されてもよい。非導電性部分は、シリコンまたはシリコーン、ゴム、硬質ゴム、プラスチック、ナイロン、液晶ポリマー（ＬＣＰ）、または他の非導電性材料、あるいはそれらの材料の組み合わせから形成されてもよい。同様に、ガスケットまたはグロメットは、圧縮永久歪みが小さいエラストマーを含むが、それに限定されない種々の材料から形成されてもよい。これは、コネクタレセプタクルの寿命を通して一貫した性能を確保するのに効果的だろう。本考案の特定の実施形態において、使用されるエラストマーは、シリコーンまたはウレタンであってもよい。使用されるプリント回路基板は、ＦＲ‐４または他の材料から形成されてもよい。図示される種々のプリント回路基板及び本考案の他の実施形態におけるプリント回路基板の代わりに、可撓性回路基板などの他の基板が使用されてもよい。  
【００７５】
本考案の実施形態は、ポータブル演算デバイス、タブレットコンピュータ、デスクトップコンピュータ、ラップトップ、オールインワンコンピュータ、携帯電話、スマートフォン、メディアフォン、記憶デバイス、ポータブルメディアプレイヤー、ナビゲーションシステム、モニタ、電源、アダプタ、リモートコントロールデバイス、充電器及び他のデバイスなどの種々の型のデバイスに配置可能且つ接続可能であるコネクタレセプタクルを提供できる。本考案のコネクタレセプタクルは、ユニバーサルシリアルバス（ＵＳＢ）、高解像度マルチメディアインタフェース（ＨＤＭＩ）、デジタルビジュアルインタフェース（ＤＶＩ）、パワー、イーサネット、ＤｉｓｐｌａｙＰｏｒｔ、Ｔｈｎｄｅｒｂｏｌｔ、Ｌｉｇｈｔｎｉｎｇ及び既に開発済みであるか、開発中であるかまたは将来開発されると思われる他の種類のインタンタフェース及び規格外インタフェースのような種々の規格に従って信号及び電力の経路を提供できる。  
【００７６】
本考案の実施形態の以上の説明は、例示及び説明を目的として提示された。以上の説明は、余すところなく完璧であることまたは本考案を記載された厳密な形態に限定することを意図せず、上記の教示に照らして、数多くの変形及び変更が可能である。実施形態は、本考案の原理及びその実際の用途への適用を最も適切に説明し、それにより、他の当業者が種々の実施形態の中で本考案を最良の形で利用すること及び意図される特定の用途に適合する種々の変形を加えて本考案を最良の形で利用することを可能にするために選択され且つ説明された。従って、本考案は、実用新案登録請求の範囲の範囲内のあらゆる変形及び同等の構成を含むことを意図することが理解されるだろう。  
【００７７】
本出願は、「耐久性コネクタレセプタクル」と題する２０１４年４月１４日に出願された米国仮特許出願第６１／９７９４６９号、２０１４年５月２１日に出願された米国仮特許出願第６２／００１０６０号、２０１５年３月７日に出願された米国仮特許出願第６２／１２９８２６号に基づき、その権利を主張し、その内容全体を、参考として本明細書に取り入れる。
【図１】
0003199094.tif 000003
【図２】
0003199094.tif 000004
【図３】
0003199094.tif 000005
【図４】
0003199094.tif 000006
【図５】
0003199094.tif 000007
【図６】
0003199094.tif 000008
【図７】
0003199094.tif 000009
【図８】
0003199094.tif 000010
【図９】
0003199094.tif 000011
【図１０】
0003199094.tif 000012
【図１１】
0003199094.tif 000013
【図１２】
0003199094.tif 000014
【図１３】
0003199094.tif 000015
【図１４】
0003199094.tif 000016
【図１５】
0003199094.tif 000017
【図１６】
0003199094.tif 000018
【図１７】
0003199094.tif 000019
【図１８】
0003199094.tif 000020
【図１９】
0003199094.tif 000021
【図２０】
0003199094.tif 000022